(57)【特許請求の範囲】
【請求項１】
ケース内に設けた防滴室と、該ケースに取り外し可能な外部蓋と、該外部蓋に収納される外部端子室とを備え、該外部端子室の外部端子から導出される帯状の信号線を、該外部端子室に設けた外部端子用孔と、前記防滴室に設けた連通孔を介して前記防滴室に導引するケースの防滴構造において、
前記外部蓋に排水孔を備え、前記外部蓋を前記ケースに取り付けたときに、前記外部端子用孔と前記連通孔との間に前記外部蓋と前記防滴室に囲まれる防滴空間を有すると共に、前記排水孔が該防滴空間内の水を前記ケースの外部へ排出する第１防滴構造と、
前記防滴室に前記連通孔の開口部を遮蔽する遮蔽板と、該遮蔽板を挿し込む挿嵌溝とを備え、前記信号線を前記連通孔に挿通したまま、前記遮蔽板で前記連通孔を遮蔽すると共に、前記遮蔽板と前記挿嵌溝とで前記信号線を挟み込む第２防滴構造とを設けることを特徴とするケースの防滴構造。
【請求項２】
前記連通孔で前記防滴室と連通する格納室を前記防滴室と前記外部蓋との間に備え、
前記外部蓋を前記ケースに取り付けたときに、前記格納室を前記外部蓋で封鎖し、前記外部端子室を前記外部蓋で封鎖された前記格納室に格納すると共に、前記格納室内を前記防滴空間とすることを特徴とする請求項１に記載のケースの防滴構造。
【請求項３】
前記ケースの使用時、又は前記ケースの保管時の少なくともどちらかの姿勢のときに、前記排出孔が、前記外部端子用孔と前記連通孔よりも低い位置に配置されたことを特徴とする請求項１又は２に記載のケースの防滴構造。
【請求項４】
前記信号線の前記防滴室に導引された一端に内部端子を備え、前記連通孔が前記内部端子を通過可能に形成されたことを特徴とする請求項１〜３のいずれか１項に記載のケースの防滴構造。
【請求項５】
前記遮蔽板と前記挿嵌溝とで前記信号線を挟み込んだときに、前記遮蔽板に前記信号線への押圧力を逃がす逃げ部を備えることを特徴とする請求項１〜４のいずれか１項に記載のケースの防滴構造。
【請求項６】
請求項１〜５のいずれか１項に記載のケースの防滴構造を備えることを特徴とする携帯
可能な温度計測器用ケース。
【請求項７】
前記外部端子を熱電対同種金属で形成することを特徴とする請求項６に記載の温度計計測器用ケース。
【請求項８】
ケース内に設けた防滴室と、該ケースに取り外し可能な外部蓋と、該外部蓋に収納される外部端子室とを備え、該外部端子室の外部端子から導出される帯状の信号線を、該外部端子室に設けた外部端子用孔と、前記防滴室に設けた連通孔を介して前記防滴室に導引するケースの防滴方法であって、
前記外部蓋と前記防滴室とに囲まれる防滴空間から、前記外部端子用孔から進入した水を前記外部蓋に備えられた排水孔を介して前記ケースの外部に排出すると共に、
排出仕切れなかった水、又は前記信号線を伝う水を、前記連通孔を遮蔽する遮蔽板と挿嵌溝で前記信号線を挟み込んで遮断することを特徴とするケースの防滴方法。
【発明の詳細な説明】
【技術分野】
【０００１】
本発明は、携帯用計測器などにおいて、外部の測定装置と接続する外部端子を備え、その外部端子をケースから取り外し可能に構成すると共に、ケース内部の電子部品への防滴性を向上することができるケースの防滴構造、携帯可能な温度計測器用ケース、及びケースの防滴方法に関する。
【背景技術】
【０００２】
通常、計測器等で使用するケースを、上下又は左右等の２つ以上の合成樹脂製や金属製の部品で構成し、凹凸の爪やネジ、蝶番等の結合構造、及び、接着や溶接等の接合構造により組み立てている。この２つ以上のケース部品で組み立てられたケース内に、電子部品等の水に弱い物を収納する場合は、ケースに防水機能や防滴機能が必要となる。
【０００３】
しかし、ケース自体に防水機能や防滴機能を設けても、外部の測定装置と接続するために、ケースの外部に端子を配置する場合には、端子と端子を備える端子室に別途防水、又は防滴構造が必要となる。加えて、端子を外部に設けることで端子が劣化しやすくなるため、端子室をケースから取り外し可能にすることも必要となる。
【０００４】
そこで、コネクタハウジングに、挿抜動作が行われている間に内部空間と外部とを連通可能な窓孔を形成すると共に、この窓孔に防水性と通気性とを有する閉塞部材を装着して、防水機能を保ちつつコネクタハウジングの嵌合、分離操作を容易に行う装置がある（例えば、特許文献１参照）。
【０００５】
また、電線の内部の隙間を利用して、防水ケースの内部をコネクタの密封空間内及び該コネクタから引き出される電線の内部を介して外部へと連通させるように構成した装置がある（例えば、特許文献２参照）。
【０００６】
ところが、上記のこれらの装置は、外部に設けた端子と、端子室を防水することができるが、信号線と端子室との防水にゴム栓を用いている装置である。このように、従来技術の防水、又は防滴構造の一つであるゴムパッキンを使用する場合には、汎用品や注文生産品の区別によらず、部品点数の増加と工数の増加となり、コストアップの要因となる。また、合成樹脂系の充填剤によりシールする場合には、端子室の再開封の作業性が悪くなり、また、端子室全体を合成樹脂系材料で包み込んで完全密封してしまう場合には再開封が困難となる。
【０００７】
また、上記のこれらの装置は、外部に設けた端子と接続する測定装置から導出される端子にも加工が必要であり、加工工数の増加と共に、製造コストが増加する。
【先行技術文献】
【特許文献】
【０００８】
【特許文献１】特開平９−０４５４２５号公報
【特許文献２】特開２００５−０１１７４７号公報
【発明の概要】
【発明が解決しようとする課題】
【０００９】
本発明は、上記の問題を鑑みてなされたものであり、その目的は、ケース外部の測定装置などと接続する外部端子と、外部端子を備える外部端子室とを密閉せずに、形状の工夫
により、ケースから取り外し可能にすると共に、外部端子室からケース内部への水の進入を防いで、防滴性を向上することができるケースの防滴構造、携帯可能な温度計測器用ケース、及びケースの防滴方法を提供することである。
【課題を解決するための手段】
【００１０】
上記の目的を解決するための本発明のケースの防滴構造は、ケース内に設けた防滴室と、該ケースに取り外し可能な外部蓋と、該外部蓋に収納される外部端子室とを備え、該外部端子室の外部端子から導出される帯状の信号線を、該外部端子室に設けた外部端子用孔と、前記防滴室に設けた連通孔を介して前記防滴室に導引するケースの防滴構造において、前記外部蓋に排水孔を備え、前記外部蓋を前記ケースに取り付けたときに、前記外部端子用孔と前記連通孔との間に前記外部蓋と前記防滴室に囲まれる防滴空間を有すると共に、前記排水孔から該防滴空間内の水を前記ケースの外部へ排出する第１防滴構造と、前記防滴室に前記連通孔の開口部を遮蔽する遮蔽板と、該遮蔽板を挿し込む挿嵌溝とを備え、前記信号線を前記連通孔に挿通したまま、前記遮蔽板で前記連通孔を遮蔽すると共に、前記遮蔽板と前記挿嵌溝とで前記信号線を挟み込む第２防滴構造とを設けて構成される。
【００１１】
パッキンなどを用いて完全に外部端子と外部端子室とを密閉すると、外部端子室内を修理することなどが困難になる。一方、上記の構成によれば、パッキンなどを用いずに、外部端子室を完全防水するのではなく、第１防滴構造と第２防滴構造とを組み合わせることで、防滴室への水の進入を防ぐことができる。
【００１２】
第１防滴構造として、防滴室への水の進入口となる連通孔に直接水が流れ込むことを防止する構成を設ける。この第１防滴構造は、外部端子用孔と連通孔との間に防滴空間を設け、さらに、その防滴空間から水を排出する排水孔を設けることにより、外部端子用孔から進入した水を直接連通孔へ進入させず、その防滴空間に一旦留め、排出孔から外部へと排出することができる。
【００１３】
そして、第２防滴構造として、信号線を導引したままの連通孔を遮断する構成を設ける。この第２防滴構造は、排出仕切れなかった水、又は前記信号線を伝う水を、連通孔を塞ぐ遮蔽板と挿嵌溝で信号線を挟み込むことで遮断することができる。
【００１４】
よって、パッキンなど外部端子室に設けずに、形状を工夫することで、ケースの外部に設けた外部端子室から防滴室へ進入する水を、二つの防滴構造で防ぐことができるので、ケースの防水性を向上すると共に、外部端子室を密閉することがないので、ケースから外部端子室を容易に取り外すことができる。
【００１５】
また、外部端子と接続する測定装置などの端子には一切加工の必要が無いので、加工工数を減らすことができ、製造コストを低減することができる。加えて、測定装置などの端子を加工せずに接続することができるので、汎用性が高い。
【００１６】
一方、排水孔を設けることで、排水孔から進入する水もあるが、外部端子孔から進入する水と同様に、大部分は防滴空間に溜まり、残りの信号線を伝うものは遮蔽板により遮断されるので、防滴室の防水性を損ねることはない。
【００１７】
また、上記のケースの防滴構造において、前記連通孔で前記防滴室と連通する格納室を前記防滴室と前記外部蓋との間に備え、前記外部蓋を前記ケースに取り付けたときに、前記格納室を前記外部蓋で封鎖し、前記外部端子室を前記外部蓋で封鎖された前記格納室に格納すると共に、前記格納室内を前記防滴空間とすると、外部蓋をケースに取り付けたときに、外部端子室を格納室に収納することができるので、防滴構造を設けたケースをコンパクトにすることができる。これにより、外部端子室が防滴室から突出することがないので、外部端子室に衝撃を加えた際に、発生する接合部の隙間から水が侵入することを防止することができる。
【００１８】
加えて、上記のケースの防滴構造において、前記ケースの使用時、又は前記ケースの保
管時の少なくともどちらかの姿勢のときに、前記排水孔が、前記外部端子用孔と前記連通孔よりも低い位置に配置されると、ケースの使用時や保管時の姿勢では、常に排水孔より水を排出することができる。
【００１９】
その上、前記信号線の前記防滴室に導引された一端に内部端子を備え、前記連通孔が前記内部端子を通過可能に形成されると、外部端子と信号線と内部端子を有する外部端子室を、ケースから分離することができ、容易に端子の修理を行うことができることに加えて、複数の外部端子を交換して使用することができる。
【００２０】
さらに、上記のケースの防滴構造において、前記遮蔽板と前記挿嵌溝とで前記信号線を挟み込んだときに、前記遮蔽板に前記信号線への押圧力を逃がす逃げ部を備えると、遮蔽板と挿嵌溝で信号線を挟み込んだときに、信号線にかかる負荷を低減することができるので、防滴室の密閉性を向上すると共に、信号線の損傷を防ぐことができる。
【００２１】
上記の目的を解決するための本発明の携帯可能な温度計測器用ケースは、上記に記載のケースの防滴構造を備えて構成される。この構成によれば、温度計測器の内部の防水性を向上することができる。また、パッキンなどの部品を使用せずに、ケース内部を防滴することができ、部品点数と工数を減少させて、製造コストを減少することができる。加えて、温度計測器用ケースを容易に分解することができ、メンテナンス性も向上することができる。
【００２２】
また、上記の携帯可能な温度計測器用ケースにおいて、前記外部端子を熱電対同種金属で形成すると、外部端子用室を交換可能なため、測定装置として、熱電対を用いた場合に、様々な種類の熱電対と接続することができる。
【００２３】
上記の目的を解決するための本発明のケースの防滴方法は、ケース内に設けた防滴室と、該ケースに取り外し可能な外部蓋と、該外部蓋に収納される外部端子室とを備え、該外部端子室の外部端子から導出される帯状の信号線を、該外部端子室に設けた外部端子用孔と、前記防滴室に設けた連通孔を介して前記防滴室に導引するケースの防滴方法であって、前記外部蓋と前記防滴室とに囲まれる防滴空間から、前記外部端子用孔から進入した水を前記外部蓋に備えられた排水孔を介して前記ケースの外部に排出すると共に、排出仕切れなかった水、又は前記信号線を伝う水を、前記連通孔を遮蔽する遮蔽板と挿嵌溝で前記信号線を挟み込んで遮断することを特徴とする方法である。
【００２４】
この方法によれば、外部から端子用孔から進入してくる水を、直接連通孔に流れ込ませずに大部分を排出することができ、排出できなかった水や信号線を伝わる水などの勢いが低減された水を遮蔽板で確実に遮断することができる。
【発明の効果】
【００２５】
本発明によれば、ケース外部の測定装置などと接続する外部端子と、外部端子を備える外部端子室とを密閉せずに、形状の工夫により、ケースから取り外し可能にすると共に、外部端子室からケース内部への水の進入を防いで、防滴性を向上することができる。また、外部端子と接続される測定装置側の端子に加工が一切必要ないため、加工工数を低減し、製造コストの低減を図ることができる。
【図面の簡単な説明】
【００２６】
【図１】本発明に係る第１の実施の形態のケースの防滴構造を示す中央断面を含む斜視図である。
【図２】図１の各部分を示す図であり、（ａ）及び（ｂ）は遮蔽板を示す斜視図であり、（ｃ）は連通孔と挿嵌溝を示す中央断面を含む斜視図である。
【図３】図１のケースの防滴構造における防滴方法を示す部分断面図であり、ケースの使用時、又は保管時の姿勢を示す図である。
【図４】図１のケースの防滴構造における防滴方法を示す部分断面図であり、排水孔が上方に開口した状態を示す図である。
【図５】本発明に係る第２の実施の形態のケースの防滴構造を示す中央断面を含む斜視図である。
【図６】本発明に係る実施の形態の携帯可能な温度計測器用ケースを示す図であり、（ａ）は温度計測気用ケースを示す正面図であり、（ｂ）はＶＩｂ−ＶＩｂで示す温度計測器用ケースを示す底面図であり、（ｃ）はＶＩｃ−ＶＩｃで示す温度計測器用ケースの断面図である。
【図７】図６の外部端子室を示す図であり、（ａ）は外部端子室を示す正面図であり、（ｂ）は外部端子室を示す側面図であり、（ｃ）はＶＩＩｃ−ＶＩＩｃを示す断面図である。
【図８】図６のケース下側部を示す図であり、（ａ）はケース下側部を示す上面図であり、（ｂ）はＶＩＩＩｂ−ＶＩＩＩｂで示す正面図であり、（ｃ）はＶＩＩＩｃ−ＶＩＩＩｃで示す矢視図である。
【図９】本発明に係る実施の形態の携帯可能な温度計測器用ケースの遮蔽板を示す図であり、（ａ）は遮蔽板を示す側面図であり、（ｂ）は遮蔽板を示す正面図であり、（ｃ）は遮蔽板を示す背面図である。
【図１０】図８に示す挿嵌溝に、図９に示す遮蔽板を差し込んだ図であり、（ａ）は差し込んだ状態を示す上面図であり、（ｂ）は差し込んだ状態を示す背面図であり、（ｃ）は差し込んだ状態を示す側面図である。
【発明を実施するための形態】
【００２７】
以下、本発明に係る実施の形態のケースの防滴構造、携帯可能な温度計測器用ケース、及びケースの防滴方法について、図面を参照しながら説明する。なお、図面に関しては、構成が分かり易いように寸法を変化させており、各部材、各部品の板厚や幅や長さなどの比率も必ずしも実際に製造するものの比率とは一致させていない。
【００２８】
図１に示すように、本発明に係る第１の実施の形態のケースの防滴構造１０を備えるケース１は、外壁２ａ〜２ｄに囲まれる防滴室２と、外壁３ａ〜３ｃに囲まれる外部端子室３とからなる。なお、図１はケース１の使用時、又は保管時の姿勢の状態を示しており、防滴室２の外壁２ａをケース１の上面、及び外壁２ｃをケース１の下面とする。
【００２９】
外部端子室３は、ケース１の外部に開口した開口部３ｄを有する。また、外部端子室３は、防滴室２と接合する外部蓋４ａと４ｂとに一体的に接合されて、その外部蓋４ａと４ｂとともにケース１から取り外し可能に構成される。この外部蓋４ａと４ｂを防滴室２に接合可能で、且つ外部端子室３の外壁３ａ〜３ｃと一体に形成する。この外部端子室３は、外部蓋４ａと４ｂとに配置され、外部端子５をケース１の外部の測定装置などと接続することができればよく、上記の構成に限定しない。例えば、外壁を円筒状に形成してもよい。
【００３０】
このケース１には、ケース１の外部の測定装置などと接続可能な外部端子５と、ケース１の防滴室２の内部に設けた電子基板（図示しない）と接続可能な内部端子６と、外部端子５と内部端子６とを繋ぐ信号線７とを設ける。外部端子５と信号線７との接続はシール性の高い防水シール８を巻いて、信号線７内の素線を防水するとよい。
【００３１】
これらの外部端子５、内部端子６、及び信号線７は防滴室２内の電子基板と、ケース外部の電子機器との間で電気的な信号を移送することができればよく、上記の構成に限定しないが、信号線７を帯状に形成し、折り曲げても中の素線が損傷しないように構成する。この帯状の信号線７は、複数の素線を並列して配置し、帯状の被覆材で被覆した所謂フラットケーブルと呼ばれるものであり、この実施の形態では、素線も平板状に形成し、全体を薄く形成したものを用いる。この帯状の信号線７の幅をＬ１、及び厚さをＬ２とする。
【００３２】
外部端子室３の内壁３ｂに、その外部端子５を挿通して固定する外部端子用孔１１を設け、また、外壁２ｂに外部端子用孔１１から導出した信号線７を、防滴室２の内部に導引する連通孔１２を設ける。
【００３３】
この外部端子用孔１１はその形状などを限定しないが、例えば、外部端子５が故障などにより交換する際に、その作業を容易にするために、外部端子５を固定する際に、外部端子５と外部端子用孔１１との間をパッキンやシール部材を用いて密閉しない。
【００３４】
また、連通孔１２を、内部端子６を防滴室２の外部から内部へ、また、内部から外部へ挿入可能な形状に形成すると共に、前述と同様に、信号線７と連通孔１２との間を密閉しない。この連通孔１２は、内部端子６と信号線７を防滴室２の外部から内部へ導引することができればよく、上記の構成に限定しない。
【００３５】
外部端子５を外部端子用孔１１に固定し、内部端子６を連通孔１２から防滴室２へ入れ、信号線７を連通孔１２に挿通した状態で、外部蓋４ａと４ｂを防滴室２の外壁２ｂに接合して、外部端子室３をケース１に取り付ける。
【００３６】
上記の構成によれば、内部端子６を防滴室２の外部から連通孔１２を介して防滴室２に出し入れすることができるので、外部端子室３と共に、外部端子５、内部端子６、及び信号線７をケース１から取り外しすることができる。
【００３７】
内部端子６を防滴室２内に設け、且つ外部端子室３をケース１に取り付けた状態では、外部端子用孔１１と連通孔１２とを密閉していないため、外部から水が防滴室２へ侵入可能な状態である。本発明は、この状態をパッキンなどの密閉方法を用いないで、二つの防滴構造を設けて、外部の水から防滴室２を防滴する。
【００３８】
防滴構造１０の第１防滴構造として、外部端子用孔１１と連通孔１２との間に防滴空間１３を備え、その防滴空間１３からケース１の外部へ水を排出する排水孔１４を外部蓋４ｂに備える。
【００３９】
この防滴空間１３は、外部蓋４ａと４ｂとを防滴室２に接合し、ケース１に取り付けた際に、外壁２ｂ、内壁３ａと３ｂ、及び外部蓋４ａと４ｂとに囲まれる空間であり、また、ケース１の外部から外部端子用孔１１を介して侵入した水が直接連通孔１２へと流れ込まないように設けられる空間である。
【００４０】
前述したように、外部端子用孔１１は密閉されていないため、外部から水が流れこむが、防滴空間１３を設けることで、流れ込んだ水が直接連通孔１２へ流れ込むことがなく、その水をこの防滴空間１３に一旦溜めることができる。
【００４１】
排水孔１４を防滴空間１３から外部に水を排出可能な貫通孔で形成すると共に、防滴空間１３へ侵入した水滴を流出し易くなるように、外部蓋４ｂの防滴空間１３側の面を面取り加工して形成する。この排水孔１４は、防滴空間１３に一旦溜まった水を外部へと排出することができればよく、上記の構成に限定しない。
【００４２】
例えば外部蓋４ａに設けてもよいが、ケース１の使用時、又は保管時の姿勢の状態のときに、この排水孔１４を外部端子用孔１１と連通孔１２よりも低い位置に設けると、その姿勢の状態のときは常に防滴空間１３へ侵入した水を排出することができるので、外部蓋４ｂに設けることが好ましい。
【００４３】
防滴構造１０の第２防滴構造として、連通孔１２の防滴室２側の開口部を塞ぐ遮蔽板１５と、防滴室２内に挿嵌用壁１６を備え、遮蔽板１５で連通孔１２を遮蔽したときに、挿嵌用壁１６と外壁２ｂとで遮蔽板１５を挿嵌可能な挿嵌溝１７を形成する。
【００４４】
この遮蔽板１５は、図２の（ａ）に示すように、Ｌ字型に形成された板本体１５ａと、逃げ部１５ｂを備え、さらに図２の（ｂ）に示すように、板本体１５ａから突出する係止部１５ｃを備える。
【００４５】
この逃げ部１５ｂは、板本体１５ａの連通孔１２の遮蔽面からその裏面にかけて設けられた溝であり、信号線７の幅Ｌ１と略同様の幅で、且つ信号線７の厚さＬ２と略同様の深さを有する。この逃げ部１５ｂを設けることで、遮蔽板１５を挿嵌溝１７に差し込んだときに発生する、信号線７の損傷を防ぐことができる。また、係止部１５ｃは、遮蔽板１５で連通孔１２を塞いだ際に、その連通孔１２の上部と係止し、遮蔽板１５が外れることを防止することができる。
【００４６】
挿嵌用壁１６は、図３の（ｃ）に示すように、外壁２ｂに対してコの字状（図面は、中央断面を含む断面図であるためＬ字状で示す）に形成され、コの字状の上部に凹部１６a
を設ける。この凹部１６ａは、図１に示すように、遮蔽板１５で連通孔１２を遮蔽したときに、信号線７を防滴室２の内部で動かし易いように、また、遮蔽板１５を取り外し易いように設ける。この構成によれば、信号線７が縁などで傷つくことを防止することができる。
【００４７】
この挿嵌用壁１６と外壁２ｂとから形成される挿嵌溝１７は、遮蔽板１５を挿嵌することができればよい。好ましくは、挿嵌溝１７に遮蔽板１５を挿嵌したときに、信号線７を遮蔽板１５と挿嵌溝１７とで挟み込むことができればよく、より好ましくは、信号線７を逃げ部１５ｂに収めて、信号線７を傷つけないように遮蔽板１５と挿嵌溝１７とで挟み込むことができればよい。加えて、挿嵌溝１７に遮蔽板１５を差し込む際には遮蔽板１５の表面にシール材となるグリスを塗布するとより防滴性を向上することができる。
【００４８】
この遮蔽板１５と挿嵌溝１７とで、連通孔１２から防滴室２の内部に導引された帯状の信号線７を挟み込むことにより、防滴空間１３と防滴室２とを遮断することができる。つまり、第２防滴構造はパッキンなどの密閉部材を設ける代わりに、信号線７を遮蔽板１５と挿嵌溝１７とで挟み込むことで、防滴室２を外部から水が進入しないように遮蔽することができる。
【００４９】
次に、防滴構造１０の防滴方法について、図３及び図４を参照しながら説明する。ここで、図３はケース１の使用時、又は保管時の姿勢の状態を示しており、図４は図３の状態を上下逆さまにした状態を示す。
【００５０】
このケース１の内部への水の進入は、図３の状態の場合は外部端子室１１となり、図４の状態の場合は、排水孔１４も加わるが、この図４の状態は、ケース１の使用時、又は保管時以外の例外の状態であり、頻度は低く、排出孔１４から防滴空間１３へ進入する水量は多くない。
【００５１】
図３に示すように、外部端子用孔１１から進入した水Ｗ１を、第１防滴構造によって、直接連通孔１２へ流れ込ませることなく、防滴空間１３に一旦溜める。その溜まった水Ｗ１を、排水孔１４より外部へと排出する。
【００５２】
排水孔１４より外部へと排出できなかった水Ｗ２、及び外部端子用孔１１から信号線７を伝って連通孔１２へと向かう水Ｗ２を、第２防滴構造によって、信号線７を遮蔽板１５と挿嵌溝１７とで挟み込み、連通孔１２から防滴室２への通路を塞ぐことにより、遮断する。このとき、第１防滴構造で連通孔１２へ侵入する水の勢いを低減しているので、遮蔽板１５へかかる水からの圧力を低減することができ、第２防滴構造の防滴性を向上することができる。
【００５３】
図４の状態で、排水孔１４から進入した水Ｗ１も直接連通孔１２へ流れ込むことがないので、図３の状態の排水孔１４からの排出を除いて、同様となる。この状態では防滴空間１３に溜めることができる水量が図３の状態よりも多くなるため、連通孔１２への進入を低減することができる。
【００５４】
ケース１が図３及び図４以外の姿勢の状態の場合も、同様に、外部端子用孔１１、又は排水孔１４から進入した水を、防滴空間１３に一旦溜めて、さらに、遮蔽板１５で遮断することで、防滴室２への進入を防ぐことができる。
【００５５】
上記の防滴構造１０によれば、第１防滴構造で、侵入した水を連通孔１２へ直接導くことなく、その大部分をケース１の外部へ排出することができ、さらに、第２防滴構造で、第１防滴構造で外部へ排出できなかった水の浸入を遮断することができるので、防滴室２の防滴性を向上することができる。これにより、防滴室２の外部に外部端子５を設け、その外部端子５から防滴室２の内部に信号線７を導引しても、外部から防滴室２への水の侵入を防ぐことができる。
【００５６】
また、防滴構造１０はパッキンなどで密閉しない構造であるため、防滴室２と外部端子室３を容易に分解することが可能となり、外部端子５の損傷や防滴室２の電子基板の故障が発生した場合に、その交換作業を容易にすることができる。加えて、形状の工夫のみで、上記の作用効果を得ることができるので、製造コストを低減することができる。
【００５７】
さらに、第１防滴構造によって、外部から侵入する水の勢いを低減し、遮蔽板１５にかかる面圧を低減することができるので、遮蔽板１５を用いた水の遮断を確実に行うことができる。遮蔽板１５の表面に塗布したシール材も常に水に晒されることが無くなるので、シール性の低減を防ぐことができる。
【００５８】
次に、上記の防滴構造１０を有する本発明に係る第２の実施の形態のケースについて、図５を参照しながら説明する。この実施の形態のケース２０は、第１の実施の形態のケースの構成に加えて、防滴室２１と外部蓋２４ａ、２４ｂとの間に格納室２３を備える構成である。
【００５９】
ケース２０は、外壁２１ａ〜２１ｄに囲まれる防滴室２１と、外壁２２ａ〜２２ｃに囲まれ、開口部２２ｄを有する外部端子室２２と、防滴室２１との仕切壁２３ａと２３ｂとに囲まれる格納室２３とからなる。
【００６０】
この格納室２３は、防滴室２１に隣接し、連通孔１２を介して防滴室２１と連通する。また、この格納室２３は、外部蓋２４ａと２４ｂを防滴室２１に接合して、外部蓋２４ａと２４ｂをケース２０に取り付けたときに、外部蓋２４ａと２４ｂとによって外部から封鎖されると共に、外部端子室２２を収納する。さらに、この格納室３３内の空間を第１防滴構造の一部である防滴空間１３とする。
【００６１】
この第２の実施の形態のケース２０は、第１の実施の形態の構成の外壁に、防滴室２１の内部に突出した格納室２３を設けた構成であり、その他の構成は同様である。この図５に示す構成によれば、第１の実施の形態で説明した作用効果に加えて、外部端子室２２を収納する格納室２３を設けることで、防滴室２１から外部端子室２２が突出することがなく、ケース２０をコンパクトすることができる。
【００６２】
また、外部端子室２２を格納室２３に収納し、且つ格納室２３を外部端子室２２に設けた外部蓋２４ａと２４ｂによって外部から遮蔽することができるので、より防滴性を向上することができる。第１の実施の形態に示す構成であると、外部端子室が防滴室から突出しているので、外部端子室が衝撃を受けると、防滴室との接合部から水が進入する可能性がある。しかし、この実施の形態であれば、外部端子室２２をケース２０から突出しないように、収納することができるので、衝撃に対して耐久性を向上することができる。
【００６３】
次に、上記の防滴構造１０を備えた、携帯可能な温度計測器用ケースについて、図６〜１０を参照しながら説明する。この温度計測用ケース３０は、第２の実施の形態のケースの構成と同様であるため、同様の構成については、同符号を用いて説明する。図６は温度計測器用ケース３０を示し、図７は温度計測器用ケース３０から取り外し可能な外部端子室２２を示し、図８は防滴室２１と格納室２３を示し、図９は遮蔽板１５を示し、図１０は遮蔽板１５を挿嵌溝１７に差し込んだ状態を示す。
【００６４】
温度計測器用ケース３０は、合成樹脂で形成され、図６の（ａ）の正面図に示すように、ケース上側部３１とケース下側部３２とを水密性を高めるように凹凸により嵌合して、防滴室２１を形成し、この防滴室２１の内部に図示しない電気基板を配置する。
【００６５】
また、この温度計測器用ケース３０は、図７に示す外部端子室２２と、図６の（ｂ）の底面図に示す電源装置用カバー３３を嵌合する構成である。ケース上側部２１は、図６の（ｃ）の上面図に示すように、外壁２１ａに表示装置が収まる表示装置保持３４と操作装置が収まる操作装置保持部３５を備える。
【００６６】
ここで、温度計測器用ケース３０の通常の姿勢について説明する。温度計測器用ケース３０を使用するときに計測者は、表示装置を見ながら計測するので、ケース下側部３２がケース上側部３１よりも下側となる姿勢の状態である。また、計測しないときに温度計測器用ケース３０を保管するときも、ケース下側部３２がケース上側部３１よりも下側となる姿勢の状態である。
【００６７】
よって、図６の（ｂ）に示すように、常に排水孔１４が下方に開口するように構成する。この構成によれば、ケース３０の使用時と保管時の姿勢では、常に排水孔１４が下方に開口するので、防滴空間１３に侵入する水を外部へ排出することができる。
【００６８】
外部端子室２２は、図７の（ｂ）の側面図に示すように、外部端子室２２を、外部蓋２４ａと２４ｂとからなるＬ字状の外部蓋２４と一体に形成する。この外部蓋２４をケース３０に嵌合すると共に、ネジにより螺合して、密閉性を高めている。
【００６９】
この外部端子室２２は、外部蓋２４と一体に形成されているので、ケース３０からの取り外しを容易にすると共に、その外部蓋２４によって、防滴空間１３を外部端子孔１１と連通孔１２との間に設けることができる。
【００７０】
この外部端子室２２に設けられる外部端子５（図示しない）は、形状や設ける個数を限
定しない。この実施の形態では、外部の測定装置として熱電対温度測定装置を使用することを想定しており、外部端子５を、熱電対同種金属で形成する。
【００７１】
この外部端子室２２はケース３０から容易に取り外すことができるので、様々な種類の熱電対に、それぞれ対応する熱電対同種金属で形成した外部端子５を設けた外部端子室２２を複数用意して、熱電対の種類に合わせて交換することができる。また、外部端子５と外部端子用孔１２とを密閉構造にしないため、外部端子５、内部端子６、及び信号線７が損傷した際の交換、又は修理にかかる作業を容易に行うことができる。
【００７２】
外部端子室２２を収納する格納室２３は、図８の（ａ）〜（ｃ）に示すように、防滴室２１の内側に突出して設けられ、外部端子室２２を収納する際に、ケース３０から外部端子室２２が突出することがなく、ケース３０をコンパクトにすると共に、外部端子室２２とケース３０との接合部の耐久性を向上することができる。
【００７３】
遮蔽板１５を挿嵌溝１７に差し込んで、防滴室２１への水の進入を遮断する構成については、図１及び図５で説明した通りであるので、その説明を省略する。
【００７４】
上記の構成によれば、温度計測器用ケース３０が防滴構造１０を備えるので、前述した作用効果と同様の作用効果を得ることができる。これにより、ケース３０から取り外し可能な外部端子室１１に、ケース３０の外部に設けた電子機器と接続可能な外部端子５を設け、外部端子５から導出される信号線７と信号線７のもう一旦に設けた内部端子６を防滴室２２内に導引しても、防滴室２２内に水が侵入することを防止することができる。
【００７５】
これにより、防滴性を保持しながら、外部端子室２２を交換することが可能となり、また、外部端子室２２にパッキンなどで密閉することがないので、外部端子５、内部端子６、及び信号線７が故障しても容易に交換することができる。加えて、外部端子５を熱電対同種金属で形成すると、外部端子室２２を交換することで、様々な種類の熱電対温度計速装置と接続することができる。本発明の場合は、外部端子室２２が簡易な構造であるため、外部端子５の種類を変えるときには、外部端子室２２ごと替えた方がコストを抑えることができる。
【００７６】
さらに、温度計測器用ケース３０の加工で上記の作用効果を得ることができるので、ゴムパッキンやケースの継ぎ目にシールを用いるケースと比べて、部品点数を減少させ、及び加工点数も減少させることができ、製造コストを低減することができる。また、上記の理由から、温度計測器用ケース３０を容易に分解することもでき、メンテナンス性を向上させることができる。
【００７７】
上記の実施の携帯のケースの防滴構造１０は、携帯可能な温度計測器用ケース３０内に設けた場合で説明したが、このケースの防滴構造１０を適用することができるケースは温度計測器用ケース３０に限定しない。
【産業上の利用可能性】
【００７８】
本発明のケースの防滴構造は、ケースの外部に外部端子を設けると共に、外部端子を備える外部端子室を取り外し可能にでき、形状の工夫により、外部から外部端子室を介して侵入する水が防滴室へ親友することを防止することができるので、特に携帯可能な温度計測器用ケースに利用することができる。
【符号の説明】
【００７９】
１、２０  ケース
２、２１  防滴室
３、２２  外部端子室
４、２４  外部蓋
５  外部端子
６  内部端子
７  信号線
１０  防滴構造
１１  外部端子用孔
１２  連通孔
１３  防滴空間
１４  排水孔
１５  遮蔽板
１６  挿嵌用壁
１７  挿嵌溝
２３  格納室
３０  温度計測器用ケース
【図１】
0005912646.tif 000002
【図２】
0005912646.tif 000003
【図３】
0005912646.tif 000004
【図４】
0005912646.tif 000005
【図５】
0005912646.tif 000006
【図６】
0005912646.tif 000007
【図７】
0005912646.tif 000008
【図８】
0005912646.tif 000009
【図９】
0005912646.tif 000010
【図１０】
0005912646.tif 000011